(57)【要約】【課題】安価且つ簡単な構成により電源ユニットと収容ケースとを電気的に接続することができる電源装置を提供することである。【解決手段】実施形態に係る電源装置は、金属製のケース筒を有する収容ケースと、光源を点灯させる、収容ケースに収容される電源ユニットと、収容ケースと電源ユニットとが接触するように、収容ケース又は電源ユニットに形成された接触部と、を備える。【選択図】図５
2018166029.tif 000002
【特許請求の範囲】
【請求項１】
金属製のケース筒を有する収容ケースと、
光源を点灯させる、前記収容ケースに収容される電源ユニットと、
前記収容ケースと前記電源ユニットとが接触するように、前記収容ケース又は前記電源ユニットに形成された接触部と、
を備えることを特徴とする電源装置。
【請求項２】
前記電源ユニットは、電源回路が実装された基板と、前記基板を収容するベース部材と、前記電源回路を覆って前記ベース部材に連結されたカバー部材とを有し、
前記接触部は、前記ベース部材に折り曲げ可能に形成された爪部であることを特徴とする請求項１に記載の電源装置。
【請求項３】
前記ベース部材は、一対の側板面を有し、
前記爪部は、前記ベース部材の前記一対の側板面の長手方向の両端に形成されていることを特徴とする請求項２に記載の電源装置。
【請求項４】
前記電源ユニットは、電源回路が実装された基板と、前記基板を収容するベース部材と、前記電源回路を覆って前記ベース部材に連結されたカバー部材とを有し、
前記接触部は、前記カバー部材に折り曲げ可能に形成された爪部であることを特徴とする請求項１に記載の電源装置。
【請求項５】
前記カバー部材は、上板面を有し、
前記爪部は、前記カバー部材の前記上板面の長手方向の両端に形成されていることを特徴とする請求項４に記載の電源装置。
【請求項６】
前記電源ユニットは、電源回路が実装された基板と、前記基板を収容するベース部材と、前記電源回路を覆って前記ベース部材に連結されたカバー部材とを有し、
前記接触部は、前記ベース部材に半円環状に形成された突起部であることを特徴とする請求項１に記載の電源装置。
【請求項７】
前記ベース部材は、一対の側板面を有し、
前記突起部は、前記ベース部材の前記一対の側板面の長手方向の両端に形成されていることを特徴とする請求項６に記載の電源装置。
【請求項８】
前記接触部は、前記収容ケースの前記ケース筒の内面に形成された突起部であることを特徴とする請求項１に記載の電源装置。
【請求項９】
前記ケース筒は、一対の側板面を有し、
前記突起部は、前記ケース筒の前記一対の側板面の両端に形成されていることを特徴とする請求項８に記載の電源装置。
【請求項１０】
器具本体と、
前記器具本体にソケットを介して取り付けられる光源と、
前記器具本体に内蔵され、金属製のケース筒を有する収容ケースと、光源を点灯させる、前記収容ケースに収容される電源ユニットと、前記収容ケースと前記電源ユニットとが接触するように、前記収容ケース又は前記電源ユニットに形成された接触部と、を有する電源装置と、
を備えることを特徴とする照明器具。
【発明の詳細な説明】
【技術分野】
【０００１】
本発明の実施形態は、電源装置及び照明器具に関する。
【背景技術】
【０００２】
従来より、照明器具が備える電源装置には、高周波スイッチングの電源回路を有した電源装置、いわゆる電子安定器が多用されている。多数の電気部品を組み合わせて作られている高周波スイッチング電源回路は、高湿度環境では、絶縁耐圧不良や地絡等を生じる可能性が考えられる。このため、耐水・耐湿環境でも好適に使用できるように、水密を維持できる防水型の電源装置が知られている。
【０００３】
この種の電源装置として、相対向する第１の壁、第２の壁を有した金属製ケース筒を備える防水構造の筒状収容ケースと、光源を点灯させる電源ユニットと、電源ユニットを保持して収容ケースに収容させるユニットホルダとを備えた電源装置が知られている。
【０００４】
この電源装置は、収容ケースと電源ユニットとのアース接続を行うために、電源ユニットを保持しているユニットホルダと収容ケースとの間にアース金具を挟み込ませる構造となっている。
【０００５】
このアース金具は、略く字状に曲げられた金属ばね部材により形成され、一端に位置する第１爪と、中間の折り曲げ部に位置する第２爪とを有している。そして、ユニットホルダと収容ケースとの間にアース金具を押し込むと、第１爪が収容ケースの壁を引掻くとともに、第２爪がユニットホルダの側板面を引掻くことになる。これにより、収容ケースと、電源ユニットを保持したユニットホルダとがアース金具を介して電気的に接続され、アース接続されることになる。
【０００６】
しかしながら、このようなアース金具を用いてアース接続することは、製造コストの高騰化及び構造の複雑化を招くという問題がある。
【先行技術文献】
【特許文献】
【０００７】
【特許文献１】特開２００５−４９７６号公報
【発明の概要】
【発明が解決しようとする課題】
【０００８】
本実施形態は、安価且つ簡単な構成により電源ユニットと収容ケースとを電気的に接続することができる電源装置及び照明器具を提供することを目的とする。
【課題を解決するための手段】
【０００９】
実施形態に係る電源装置は、  金属製のケース筒を有する収容ケースと、光源を点灯させる、前記収容ケースに収容される電源ユニットと、前記収容ケースと前記電源ユニットとが接触するように、前記収容ケース又は前記電源ユニットに形成された接触部と、を備える。
【００１０】
また、実施形態に係る照明器具は、器具本体と、前記器具本体にソケットを介して取り付けられる光源と、前記器具本体に内蔵され、金属製のケース筒を有する収容ケースと、光源を点灯させる、前記収容ケースに収容される電源ユニットと、前記収容ケースと前記電源ユニットとが接触するように、前記収容ケース又は前記電源ユニットに形成された接触部と、を有する電源装置と、を備える。
【発明の効果】
【００１１】
実施形態によれば、安価且つ簡単な構成により電源ユニットと収容ケースとを電気的に接続することができる電源装置及び照明器具を提供することができる。
【図面の簡単な説明】
【００１２】
【図１】第１の実施形態に係る照明器具の全体構成を示す斜視図である。
【図２】電源装置の一部を分解して示す分解斜視図である。
【図３】電源装置の全体構成を示す斜視図である。
【図４】電源ユニット２１を上方向から見た図である。
【図５】電源ユニット２１を長手方向の側面から見た図である。
【図６】電源ユニット２１を短手方向の側面から見た図である。
【図７】爪部を曲げた際の電源ユニット２１を上方向から見た図である。
【図８】爪部を曲げた際の電源ユニット２１を長手方向の側面から見た図である。
【図９】爪部を曲げた際の電源ユニット２１を示す斜視図である。
【図１０】電源ユニット２１が収容ケース１１に収容された状態を短手方向の側面から見た断面図である。
【図１１Ａ】ベース部材２６の側板面２６ａに形成される爪部の他の例を示す図である。
【図１１Ｂ】ベース部材２６の側板面２６ａに形成される爪部の他の例を示す図である。
【図１２】電源ユニット２１を上方向から見た図である。
【図１３】電源ユニット２１を長手方向の側面から見た図である。
【図１４】電源ユニット２１を短手方向の側面から見た図である。
【図１５】爪部を曲げた際の電源ユニット２１を上方向から見た図である。
【図１６】爪部を曲げた際の電源ユニット２１を長手方向の側面から見た図である。
【図１７】爪部を曲げた際の電源ユニット２１を示す斜視図である。
【図１８】電源ユニット２１が収容ケース１１に収容された状態を短手方向の側面から見た断面図である。
【図１９Ａ】カバー部材２７に形成される爪部の他の例を示す図である。
【図１９Ｂ】カバー部材２７に形成される爪部の他の例を示す図である。
【図２０】電源ユニット２１を上方向から見た図である。
【図２１】電源ユニット２１を長手方向の側面から見た図である。
【図２２】電源ユニット２１を短手方向の側面から見た図である。
【図２３】電源ユニット２１が収容ケース１１に収容された状態を短手方向の側面から見た断面図である。
【図２４】ケース筒１２を長手方向の側面から見た図である。
【図２５】ケース筒１２を短手方向の側面から見た図である。
【図２６】電源ユニット２１が収容ケース１１に収容された状態を短手方向の側面から見た断面図である。
【発明を実施するための形態】
【００１３】
実施形態の電源装置は、金属製のケース筒を有する収容ケースと、光源を点灯させる、前記収容ケースに収容される電源ユニットと、前記収容ケースと前記電源ユニットとが接触するように、前記収容ケース又は前記電源ユニットに形成された接触部と、を備える。
【００１４】
また、実施形態の電源装置は、前記電源ユニットは、電源回路が実装された基板と、前記基板を収容するベース部材と、前記電源回路を覆って前記ベース部材に連結されたカバー部材とを有し、前記接触部は、前記ベース部材に折り曲げ可能に形成された爪部である。
【００１５】
また、実施形態の電源装置は、前記ベース部材は、一対の側板面を有し、前記爪部は、前記ベース部材の前記一対の側板面の長手方向の両端に形成されている。
【００１６】
また、実施形態の電源装置は、前記電源ユニットは、電源回路が実装された基板と、前記基板を収容するベース部材と、前記電源回路を覆って前記ベース部材に連結されたカバー部材とを有し、前記接触部は、前記カバー部材に折り曲げ可能に形成された爪部である。
【００１７】
また、実施形態の電源装置は、前記カバー部材は、上板面を有し、前記爪部は、前記カバー部材の前記上板面の長手方向の両端に形成されている。
【００１８】
また、実施形態の電源装置は、前記電源ユニットは、電源回路が実装された基板と、前記基板を収容するベース部材と、前記電源回路を覆って前記ベース部材に連結されたカバー部材とを有し、前記接触部は、前記ベース部材に半円環状に形成された突起部である。
【００１９】
また、実施形態の電源装置は、前記ベース部材は、一対の側板面を有し、前記突起部は、前記ベース部材の前記一対の側板面の長手方向の両端に形成されている。
【００２０】
また、実施形態の電源装置は、前記接触部は、前記収容ケースの前記ケース筒の内面に形成された突起部である。
【００２１】
また、実施形態の電源装置は、前記ケース筒は、一対の側板面を有し、前記突起部は、前記ケース筒の前記一対の側板面の両端に形成されている。
【００２２】
また、実施形態の照明器具は、器具本体と、前記器具本体にソケットを介して取り付けられる光源と、前記器具本体に内蔵され、金属製のケース筒を有する収容ケースと、光源を点灯させる、前記収容ケースに収容される電源ユニットと、前記収容ケースと前記電源ユニットとが接触するように、前記収容ケース又は前記電源ユニットに形成された接触部と、を有する電源装置と、を備える。
【００２３】
以下、図面を参照して本発明の実施形態について詳細に説明する。
【００２４】
なお、以下の説明に用いる各図において、各構成要素を図面上で認識可能な程度の大きさとするため、構成要素毎に縮尺を異ならせてあるものもある。即ち、本発明の実施形態は、これらの図に記載された構成要素の数量、構成要素の形状、構成要素の大きさの比率、及び各構成要素の相対的な位置関係のみに限定されるものではない。
（第１の実施形態）
まず、図１に基づき、第１の実施形態に係る照明器具の構成について説明する。図１は、第１の実施形態に係る照明器具の全体構成を示す斜視図である。
【００２５】
図１に示す照明器具１は、天井等の被取り付け面に直付けされる防水型のＬＥＤ照明器具であって、器具本体２と、ランプソケット３と、例えば直管型のＬＥＤランプ４と、ＬＥＤランプ４を点灯させる電源装置５とを備えて構成されている。
【００２６】
器具本体２は、例えば直方体形状の金属により構成されている。また、器具本体２の長手方向の両端部には、ランプソケット３が例えば下向きに突設されている。ＬＥＤランプ４は、ランプソケット３に取り外し可能に支持されている。光源としてのＬＥＤランプ４を点灯させる電源装置５は、防水構造であり、器具本体２に内蔵されている。
【００２７】
なお、本実施形態では、直管型のＬＥＤランプ４が取り付けられる照明器具１について説明するが、これに限定されるものではない。例えば、照明器具１は、電球型のＬＥＤランプあるいはＬＥＤモジュールバーが取り付けられる構成であってもよい。
【００２８】
また、本実施形態では、ＬＥＤランプ４を点灯させるＬＥＤ照明器具１について説明するが、これに限定されるものではない。例えば、照明器具１は、ハロゲンランプあるいはキセノンランプ等の光源を点灯させる照明器具であってもよい。
【００２９】
次に、照明器具１が備える電源装置５の詳細な構成について説明する。図２は、電源装置の一部を分解して示す分解斜視図であり、図３は、電源装置の全体構成を示す斜視図であり、図４は、電源ユニット２１を上方向から見た図であり、図５は、電源ユニット２１を長手方向の側面から見た図であり、図６は、電源ユニット２１を短手方向の側面から見た図である。
【００３０】
図２〜図６に示すように、電源装置５は、外郭をなす収容ケース１１と、電源ユニット２１とを有して構成されている。
【００３１】
収容ケース１１は、防水構造を備え、筒状に形成されている。具体的には、収容ケース１１は、ケース筒１２と、ケース端部材である一対のケース端板１３と、シール材である一対のパッキン１４とから形成されている。
【００３２】
ケース筒１２は、例えばアルミニウム、アルミニウム合金あるいはステンレス等の金属により形成されている。ケース筒１２は、上板面１２ａ、一対の側板面１２ｂ、及び、底板面１２ｃを備える。ケース端板１３は、ケース筒１２と同材質の金属、例えばアルミニウム、アルミニウム合金あるいはステンレス等の金属で形成されている。
【００３３】
パッキン１４は、合成ゴムあるいはエラストマ等の軟質なシール材により形成されている。２つのケース端板１３は、ケース筒１２の端面との間にそれぞれパッキン１４を挟んだ状態で、ケース端板１３及びパッキン１４を通ってねじ込まれる複数の螺子１５を用いて、ケース筒１２の端面開口を水密に塞ぐように構成されている。
【００３４】
ケース端板１３には、電源線１６を通す電源通し部１３ａが設けられており、電源通し部１３ａからパッキン１４に設けられた挿通孔１４ａが露出している。電源線１６を電源通し部１３ａに通した際、防水処理が施され、収容ケース１１の防水性が保たれる構成になっている。
【００３５】
電源ユニット２１は、収容ケース１１に収容されるものである。電源ユニット２１は、ユニットケース２３内に、図示しない各種の電気回路部品を接続して構成された電子安定器である。この電源回路は、プリント配線基板２４に実装されている。また、プリント配線基板２４の両端には、電源線１６が接続される複数の端子台２５が配設されている。
【００３６】
ユニットケース２３は、断面コ字状のベース部材２６と、電源回路を覆ってベース部材２６に連結されたカバー部材２７とにより構成されている。ベース部材２６は、幅方向の両端に一対の側板面２６ａを有して断面コ字状に形成され、両端の側板面２６ａの間には平板状の底板面２６ｂが形成されている。ベース部材２６の長手方向の両端部は、カバー部材２７の端面から突出されている。
【００３７】
ユニットケース２３を構成するベース部材２６及びカバー部材２７は、いずれもアルミニウム、アルミニウム合金あるいはステンレス等の金属により形成されている。このように構成されたユニットケース２３と、プリント配線基板２４に実装された電源回路とはアースのために電気的に接続されている。
【００３８】
このように、電源ユニット２１は、電源回路が実装されたプリント配線基板２４と、プリント配線基板２４を収容するベース部材２６と、電源回路を覆ってベース部材２６に連結されたカバー部材２７とにより構成されている。
【００３９】
電源ユニット２１は、ケース筒１２内に一端の開口を通して挿入されることによりケース筒１２に内蔵される。そして、ケース筒１２の長手方向の両端にそれぞれパッキン１４を挟んでケース端板１３が３つの螺子１５により螺子止めされ、収容ケース１１が組み立てられる。
【００４０】
ベース部材２６の一対の側板面２６ａのそれぞれには、長手方向の両端に爪部４１が折り曲げ可能に形成されている。すなわち、ベース部材２６には４つの爪部４１が形成されている。
【００４１】
図７は、爪部を曲げた際の電源ユニット２１を上方向から見た図であり、図８は、爪部を曲げた際の電源ユニット２１を長手方向の側面から見た図であり、図９は、爪部を曲げた際の電源ユニット２１を示す斜視図である。また、図１０は、電源ユニット２１が収容ケース１１に収容された状態を短手方向の側面から見た断面図である。
【００４２】
接触部としての爪部４１は、量産時には図４〜図６に示すように、側板面２６ａと同様にストレートに構成されている。そして、爪部４１は、電源ユニット２１をケース筒１２に収容して組み立てる際に、図７〜図９に示すように、所定の治工具を用いて側板面２６ａの外側に向かって曲げる構造になっている。
【００４３】
ベース部材２６の側板面２６ａに形成された複数の爪部４１を外側に向かって曲げた状態で電源ユニット２１をケース筒１２に挿入すると、図１０に示すように、爪部４１がケース筒１２の側板面１２ｂを引掻く。これにより、組み立てられた電源装置５は、ケース筒１２と電源ユニット２１とが電気的に確実に接続でき、アース接続をすることができる。
【００４４】
なお、ベース部材２６の側板面２６ａに形成される爪部４１の位置、個数、及び、形状は、図４〜図９の位置、個数、及び、形状に限定されるものではない。
【００４５】
図１１Ａ及び図１１Ｂは、ベース部材２６の側板面２６ａに形成される爪部の他の例を示す図である。
【００４６】
例えば、図１１Ａに示すように、ベース部材２６の側板面２６ａに、略コ字状の孔が設けられた爪部４１Ａが形成されていてもよい。また、図１１Ｂに示すように、ベース部材２６の側板面２６ａに、図１１Ａの爪部４１Ａを１８０度回転させた、略逆コ字状の孔が設けられた爪部４１Ｂが形成されていてもよい。
【００４７】
このように、本実施形態の電源装置５は、ベース部材２６の側板面２６ａに形成される爪部４１を曲げることで、ケース筒１２と電源ユニット２１とを電気的に接続する構造のため、従来のように、ケース筒１２と電源ユニット２１との間にアース接続するためのアース金具を用いる必要がない。そのため、本実施形態の電源装置５は、安価且つ簡単な構成により電源ユニット２１と収容ケース１１とを電気的に接続することができる。
【００４８】
また、本実施形態では、爪部４１は、量産時にはストレートに形成され、電源装置５を組み立てる際に、所定の治工具を用いて曲げるように構成されている。そのため、爪部４１の曲げる大きさを適切に調整することで、例えば大きさの異なる複数種類のケース筒１２に対して電気的に接続することが可能である。
（第２の実施形態）
次に、第２の実施形態について説明する。
【００４９】
図１２は、電源ユニット２１を上方向から見た図であり、図１３は、電源ユニット２１を長手方向の側面から見た図であり、図１４は、電源ユニット２１を短手方向の側面から見た図である。
【００５０】
図１２に示すように、第２の実施形態の電源ユニット２１は、カバー部材２７の上板面２７ａの一端に略コ字状の孔が設けられた折り曲げ可能な爪部５１Ａが形成され、他端に略逆コ字状の孔が設けられた折り曲げ可能な爪部５１Ｂが形成されている。
【００５１】
図１５は、爪部を曲げた際の電源ユニット２１を上方向から見た図であり、図１６は、爪部を曲げた際の電源ユニット２１を長手方向の側面から見た図であり、図１７は、爪部を曲げた際の電源ユニット２１を示す斜視図である。また、図１８は、電源ユニット２１が収容ケース１１に収容された状態を短手方向の側面から見た断面図である。
【００５２】
接触部としての爪部５１Ａ及び５１Ｂは、第１の実施形態と同様に、量産時には図１２〜図１４に示すように、カバー部材２７の上板面２７ａと同様にストレートに構成されている。そして、爪部５１Ａ及び５１Ｂは、電源ユニット２１をケース筒１２に収容して組み立てる際に、図１５〜図１７に示すように、所定の治工具を用いて上板面２７ａの外側に向かって曲げる構造になっている。
【００５３】
カバー部材の２７の上板面２７ａに形成された爪部５１Ａ及び５１Ｂを外側に向かって曲げた状態で電源ユニット２１をケース筒１２に挿入すると、図１８に示すように、爪部５１Ａ（及び爪部５１Ｂ）がケース筒１２の上板面１２ａを引掻く。これにより、組み立てられた電源装置５は、ケース筒１２と電源ユニット２１とが電気的に確実に接続でき、アース接続をすることができる。
【００５４】
なお、カバー部材２７の上板面２７ａに形成される爪部５１Ａ及び５１Ｂの位置、個数、及び、形状は、図１２〜図１７の位置、個数、及び、形状に限定されるものではない。
【００５５】
図１９Ａ及び図１９Ｂは、カバー部材２７に形成される爪部の他の例を示す図である。
【００５６】
例えば、図１９Ａに示すように、カバー部材２７の上板面２７ａの一端に、図１２の爪部５１Ａを１８０度回転させた、略逆コ字状の孔が設けられた爪部５１Ｃが形成されていてもよい。また、図１９Ｂに示すように、カバー部材２７の側板面２７ｂに、略逆コ字状の孔が設けられた爪部５１Ｄが形成されていてもよい。
【００５７】
このように、本実施形態の電源装置５は、カバー部材２７の上板面２７ａに形成される爪部５１Ａ及び５１Ｂを曲げることで、ケース筒１２と電源ユニット２１とを電気的に接続する構造のため、従来のように、ケース筒１２と電源ユニット２１との間にアース接続するためのアース金具を用いる必要がない。そのため、本実施形態の電源装置５は、第１の実施形態と同様に、安価且つ簡単な構成により電源ユニット２１と収容ケース１１とを電気的に接続することができる。
（第３の実施形態）
次に、第３の実施形態について説明する。
【００５８】
図２０は、電源ユニット２１を上方向から見た図であり、図２１は、電源ユニット２１を長手方向の側面から見た図であり、図２２は、電源ユニット２１を短手方向の側面から見た図である。また、図２３は、電源ユニット２１が収容ケース１１に収容された状態を短手方向の側面から見た断面図である。
【００５９】
図２０〜図２２に示すように、第３の実施形態の電源ユニット２１は、ベース部材２６の一対の側板面２６ａのそれぞれの長手方向の両端に、外側に突起した半円環状の接触部としての突起部６１が形成されて構成されている。すなわち、ベース部材２６には４つの突起部６１が形成されている。
【００６０】
このように構成された電源ユニット２１をケース筒１２に挿入すると、図２３に示すように、ベース部材２６の側板面２６ａに形成された突起部６１がケース筒１２の側板面１２ｂを引掻く。これにより、組み立てられた電源装置５は、ケース筒１２と電源ユニット２１とが電気的に確実に接続でき、アース接続をすることができる。
【００６１】
なお、ベース部材２６の側板面２６ａに形成される突起部６１の位置、個数、及び、形状は、図２０〜図２３の位置、個数、及び、形状に限定されるものではない。本実施形態では、ベース部材２６の側板面２６ａには半円環状の突起部６１が形成されているが、例えば、Ｕ字状、コ字状、又は、Ｌ字状の突起部が形成されていてもよい。
【００６２】
また、本実施形態では、ベース部材２６の側板面２６ａには半円環状の突起部６１が形成されているが、例えば、カバー部材２７の上板面２７ａ又は側板面２７ｂに突起部が形成されていてもよい。
【００６３】
さらにまた、突起部６１は、電源ユニット２１をケース筒１２に収容して組み立てる際に、所定の治工具を用いて変形できるようにしてもよい。これにより、電源ユニット２１は、例えば大きさの異なる複数種類のケース筒１２に対して電気的に接続することが可能である。
【００６４】
このように、本実施形態の電源装置５は、ベース部材２６の側板面２６ａに形成される突起部６１によって、ケース筒１２と電源ユニット２１とを電気的に接続する構造のため、従来のように、ケース筒１２と電源ユニット２１との間にアース接続するためのアース金具を用いる必要がない。そのため、本実施形態の電源装置５は、第１の実施形態と同様に、安価且つ簡単な構成により電源ユニット２１と収容ケース１１とを電気的に接続することができる。
（変形例）
次に、第３の実施形態の変形例について説明する。
【００６５】
図２４は、ケース筒１２を長手方向の側面から見た図であり、図２５は、ケース筒１２を短手方向の側面から見た図である。また、図２６は、電源ユニット２１が収容ケース１１に収容された状態を短手方向の側面から見た断面図である。
【００６６】
第３の実施形態では、電源ユニット２１のベース部材２６の側板面２６ａに複数の突起部７１が形成されているが、変形例では、ケース筒１２に接触部としての複数の突起部７１が形成されている。これらの突起部７１は、ケース筒１２の側板面１２ｂの内面から内側に突起している。
【００６７】
このように構成されたケース筒１２に電源ユニット２１が挿入されると、図２６に示すように、ケース筒１２の側板面１２ｂの内面に形成された突起部７１がベース部材２６の側板面２６ａを引掻く。これにより、組み立てられた電源装置５は、ケース筒１２と電源ユニット２１とが電気的に確実に接続でき、アース接続をすることができる。
【００６８】
ケース筒１２の側板面１２ｂに形成される突起部７１の位置、個数、及び、形状は、図２４〜図２６の位置、個数、及び、形状に限定されるものではない。例えば、突起部７１は、ケース筒１２に電源ユニット２１が挿入された際に、カバー部材２７の側板面２７ｂを引掻く位置に形成されていてもよい。
【００６９】
また、突起部７１は、例えば、ケース筒１２の上板面１２ａの内面に形成されていてもよい。この場合、突起部は、ケース筒１２に電源ユニット２１が挿入された際に、カバー部材２７の上板面２７ａを引掻く位置に形成される。
【００７０】
このように、変形例の電源装置５は、ケース筒１２の側板面２６ａの内面に形成される突起部７１によって、ケース筒１２と電源ユニット２１とを電気的に接続する構造のため、従来のように、ケース筒１２と電源ユニット２１との間にアース接続するためのアース金具を用いる必要がない。そのため、変形例の電源装置５は、第３の実施形態と同様に、安価且つ簡単な構成により電源ユニット２１と収容ケース１１とを電気的に接続することができる。
【００７１】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００７２】
１…照明器具、２…器具本体、３…ランプソケット、４…ＬＥＤランプ、５…電源装置、１１…収容ケース、１２…ケース筒、１３…ケース端板、１４…パッキン、１５…螺子、１６…電源線、２１…電源ユニット、２３…ユニットケース、２４…プリント配線基板、２５…端子台、２６…ベース部材、２７…カバー部材、４１，５１Ａ，５１Ｂ…爪部、６１，７１…突起部。
【図１】
2018166029.tif 000003
【図２】
2018166029.tif 000004
【図３】
2018166029.tif 000005
【図４】
2018166029.tif 000006
【図５】
2018166029.tif 000007
【図６】
2018166029.tif 000008
【図７】
2018166029.tif 000009
【図８】
2018166029.tif 000010
【図９】
2018166029.tif 000011
【図１０】
2018166029.tif 000012
【図１１Ａ】
2018166029.tif 000013
【図１１Ｂ】
2018166029.tif 000014
【図１２】
2018166029.tif 000015
【図１３】
2018166029.tif 000016
【図１４】
2018166029.tif 000017
【図１５】
2018166029.tif 000018
【図１６】
2018166029.tif 000019
【図１７】
2018166029.tif 000020
【図１８】
2018166029.tif 000021
【図１９Ａ】
2018166029.tif 000022
【図１９Ｂ】
2018166029.tif 000023
【図２０】
2018166029.tif 000024
【図２１】
2018166029.tif 000025
【図２２】
2018166029.tif 000026
【図２３】
2018166029.tif 000027
【図２４】
2018166029.tif 000028
【図２５】
2018166029.tif 000029
【図２６】
2018166029.tif 000030